(57)【要約】【課題】画像情報と音声情報とを同時に鑑賞する動作を手軽に行える情報カードとその利用システムの装置を提供する。【解決手段】カメラで撮影した画像を、非接触式ＩＣカード３０のシート状平面部３０Ａに現す手段と、カメラで画像を撮影した際の音声情報を、非接触式ＩＣカード３０に書き込み及び非接触式で読み取り可能に構成し、使用者が、カメラで撮影した画像とカメラで画像を撮影した際の音声情報とを、一度に鑑賞可能とする。また非接触式ＩＣカード３０は、非接触式で音声情報を出力させることができるので、その取り扱いを容易にできる。【選択図】　図３
2004126096.tif 000002
【特許請求の範囲】
【請求項１】
作成した固有の画像を、非接触式ＩＣカードのシート状平面部に現す画像表示手段と、
前記固有の画像に対応する音声情報を、前記非接触式ＩＣカードに書き込み及び非接触式で読み取り可能に構成した音声情報記録手段と、
を有することを特徴とする情報カード。
【請求項２】
音声及び画像情報入力処理部から入力された画像情報に基づいて、非接触式ＩＣカードのシート状平面部に画像を形成する画像形成部と、
前記音声及び画像情報入力処理部から入力された画像情報に基づいて、非接触式ＩＣカードの音声情報記録手段に音声情報を書き込む音声データ書き込み装置と、
を有することを特徴とする画像形成処理を行う情報カードの利用システムの装置。
【請求項３】
作成した固有の画像がシート状平面部に現され、かつ前記作成した固有の画像に対応する音声情報が書き込まれた非接触式ＩＣカードが検知エリア内に入ると、前記非接触式ＩＣカードに記憶されている音声情報を非接触状態で読み出してスピーカから出力することを特徴とする音声再生処理を行う情報カードの利用システムの装置。
【請求項４】
前記画像表示手段が、前記非接触式ＩＣカードの平面部に感熱材料を塗布して感熱プリンタで任意の画像を形成可能に構成されていることを特徴とする請求項１に記載の情報カード。
【請求項５】
前記画像表示手段が、前記非接触式ＩＣカードの平面部にサーモオートクローム方式の感受層を設けてサーモオートクローム方式のプリンタで任意の画像を形成可能に構成されていることを特徴とする請求項１に記載の情報カード。
【請求項６】
前記画像表示手段が、前記非接触式ＩＣカードの平面部にインクジェットプリント用の表皮を設けてインクジェットプリンタにより任意の画像を形成できるように構成されていることを特徴とする請求項１に記載の情報カード。
【請求項７】
作成した固有の画像がシート状平面部に現され、かつ前記作成した固有の画像に対応する音声情報が書き込まれた非接触式ＩＣカードが検知エリア内に入ると、前記非接触式ＩＣカードに記憶されている音声情報を非接触状態で読み出してスピーカから出力する機能を有する携帯電話器として構成されたことを特徴とする音声再生処理を行う情報カードの利用システムの装置。
【請求項８】
作成した固有の画像がシート状平面部に現され、かつ前記作成した固有の画像に対応する音声情報が書き込まれた非接触式ＩＣカードが検知エリア内に入ると、前記非接触式ＩＣカードに記憶されている音声情報を非接触状態で読み出してスピーカから出力する機能を有するカメラ装置として構成されたことを特徴とする音声再生処理を行う情報カードの利用システムの装置。
【発明の詳細な説明】
【０００１】
【発明の属する技術分野】
この発明は、情報カードとその利用システムの装置に係わり、特に、表面に写真等の画像を形成可能とすると共に音声情報を書き込み又は読み取り可能に構成した非接触式の情報カードと、この情報カードを用いて画像と音声とを同時に利用するシステムを構成するための、音声の記録機能を備えたカメラ装置等から得た音声情報を情報カードに書き込む機能を備えた画像形成装置及び情報カードから音声情報を読み取って音声を出力する装置に関する。
【０００２】
【従来の技術】
従来、オーディオ情報と静止画像の一体管理を可能としたオーディオ情報記録再生システムが提案されている。
【０００３】
このオーディオ情報記録再生システムでは、電子カメラに音声情報の記録機能を持たせ、撮影した画像をプリントすると共に、メモリカードに記録した音声情報を光学的に読み取り可能なドットコードとしてプリントアウト用紙の裏面あるいは表面の空き領域に印刷記録する。そして、それぞれの写真をアルバム等に貼り付けた後でもこれを撮影した時等の音声情報を容易にペン型再生装置にて再生することができ、写真と音とを一体にしてその管理を容易にする（例えば、特許文献１参照。）。
【０００４】
また、画像を表示したカードとしては、テレホンカードの一面に文字や画像を印刷したものと、その製造装置が提案されている（例えば、特許文献２、特許文献３参照。）。
【０００５】
さらに情報を伝達可能なカードとしては、ＩＣトレーディングカードを利用して情報を伝達するためのアダプタ装置が提案されている。
【０００６】
このアダプタ装置は、携帯通信機器又は情報家電機器の外部コネクタに取り付ける。このアダプタ装置は、携帯通信機器又は情報家電機器から受け取った音声や音や文字や画像等のデータをプログラムソフトにより共通フォーマットデータに変換し、ＩＣトレーディングカードに記録する。そして、このアダプタ装置を別の携帯通信機器又は情報家電機器の外部コネクタに取り付け、このＩＣトレーディングカードに記録されている音声や音や文字や画像等のデータを再生できるようにするものである（例えば、特許文献４参照。）。
【０００７】
非接触式ＩＣカードとしては、コンピュータ装置で使用する非接触式ＩＣカードログインシステム及びそのログイン方法が提案されている（例えば、特許文献５参照。）。
【０００８】
さらに、非接触式ＩＣカードに関しては、利用者毎に行動パターンが異なる大規模な施設において、情報案内プログラムを格納した非接触式ＩＣカードを用い、各利用者に対する適切な情報の提供を行うための利用者検知機能を用いた情報案内方法及び利用者検知機能を有する情報案内システムが提案されている（例えば、特許文献６参照。）。
【０００９】
音声記録を備えた写真フィルムスチルカメラシステムとしては、フィルムの磁気層に音声信号を記録し、これを磁気読み取り装置で読み取る手段、さらに、写真プリント被覆にディジタルブリスタマークの符号化形式で音声信号を記録する手段、写真プリント上にバーコードの符号化形式で音声信号を記録する手段が提案されている（例えば、特許文献７参照。）。
【００１０】
【特許文献１】
特開平７−１８１６０６号公報
【特許文献２】
特開平１１−２８８８１号公報
【特許文献３】
特開平１１−２６８４６４号公報
【特許文献４】
実用新案登録第３０７７６１３号公報
【特許文献５】
特開２０００−２５０８６１公報
【特許文献６】
特開２０００−２９９３２公報
【特許文献７】
特開平５−２２４３２０号公報
【００１１】
【発明が解決しようとする課題】
上述のように、従来から音声情報を書き込み及び読み取り可能な記録媒体は種々存在する。このなかで、写真プリント自体に音声情報を書き込み及び読み取り可能とする構成を設け、撮像記録された画像情報と音声情報とを一体的に取り扱えるようにしたものには、写真プリントの余白又は裏面に磁気記録手段で音声情報を記録し、又は光学的に読み取り可能な記録手段で音声情報を記録したものがある。
【００１２】
このような写真プリントに磁気記録手段又は光学的に読み取り可能な記録手段で音声情報を記録したものでは、音声を再生する際に、音声再生装置に音声情報を記録した写真プリントを通す操作や、ペン状の読み取り装置で音声情報を記録した部分をなぞるといった操作が必要となるので、写真プリントに一体的に記録した音声を再生するための操作が煩雑になるという問題がある。
【００１３】
また、写真プリントに一体的に記録した音声を再生する操作を行っている際には、写真プリントが音声再生装置に通されていたり、写真プリント上をペン状の読み取り装置でなぞる動作中であるので、写真プリントの画像を十分に鑑賞するのに適さない状態となるので、使用者が写真プリントの画像を鑑賞しながら音声情報を聞くことにより、使用者が画像情報と音声情報とを同時に鑑賞するということが困難である。
【００１４】
本発明は上記事実に鑑み、使用者が画像情報と音声情報とを同時に鑑賞するという動作を手軽に行えるようにした、情報カードとその利用システムの装置を新たに提供することを目的とする。
【００１５】
【課題を解決するための手段】
本発明の請求項１に記載の情報カードは、作成した固有の画像を、非接触式ＩＣカードのシート状平面部に現す画像表示手段と、固有の画像に対応する音声情報を、非接触式ＩＣカードに書き込み及び非接触式で読み取り可能に構成した音声情報記録手段とを有することを特徴とする。
【００１６】
上述のように構成することにより、一枚の非接触式ＩＣカードに、作成した固有の画像と、固有の画像に対応する音声情報とを一まとめにして保存できるので、画像情報と対をなす音声情報との組みを、多数組み管理するのを容易にできる。さらに、使用者は、作成した固有の画像と固有の画像に対応する音声情報とを、一度に鑑賞可能とする。また、非接触式ＩＣカードは、非接触式で音声情報を出力させることができるので、非接触式ＩＣカードを音声再生装置に通したり、ペン状の読み取り装置で音声情報を記録した部分をなぞるといった煩雑な操作が不要であるからその取り扱いを容易にできる。
【００１７】
本発明の請求項２に記載の画像形成処理を行う情報カードの利用システムの装置は、音声及び画像情報入力処理部から入力された画像情報に基づいて、非接触式ＩＣカードのシート状平面部に画像を形成する画像形成部と、音声及び画像情報入力処理部から入力された画像情報に基づいて、非接触式ＩＣカードの音声情報記録手段に音声情報を書き込む音声データ書き込み装置とを有することを特徴とする。
【００１８】
上述のように構成することにより、一枚の非接触式ＩＣカードのシート状平面部には作成した固有の画像を画像形成部によって形成すると共に、非接触式ＩＣカードの音声情報記録手段には音声データ書き込み装置によって固有の画像に対応する音声情報を書き込むことができる。よって一枚の非接触式ＩＣカードに、画像情報と対をなす音声情報との組みを一まとめにして記録する作業を一度に行えるので作業効率を向上できる。
【００１９】
本発明の請求項３に記載の音声再生処理を行う情報カードの利用システムの装置は、作成した固有の画像がシート状平面部に現され、かつ作成した固有の画像に対応する音声情報が書き込まれた非接触式ＩＣカードが検知エリア内に入ると、非接触式ＩＣカードに記憶されている音声情報を非接触状態で読み出してスピーカから出力することを特徴とする。
【００２０】
上述のように構成することにより、使用者は、鑑賞の対象となる一枚の非接触式ＩＣカードを選び出して、この画像が形成された非接触式ＩＣカードを、普通に写真をみるように手にとって、音声再生用の装置における所定の読み取り範囲内（検知エリア内）へ非接触式ＩＣカードをかざすように接近させる。すると、音声再生用の装置から非接触式ＩＣカードに記憶されている音声が聞こえてくる。よって、使用者は、非接触式ＩＣカードを利用して普通に写真をみるように手にとって画像を鑑賞しながら、非接触式ＩＣカードに記憶されている音声を同時に聞くことができ、使用者の視覚と聴覚とを同時に働かせてより充実した鑑賞を可能とする。また、非接触式ＩＣカードは、非接触式で音声情報を出力させることができるので、音声再生用の装置における所定の読み取り範囲内（検知エリア内）へ非接触式ＩＣカードを接近させるだけの容易な動作で音声の再生をできるから、音声情報を聞くための操作を容易にできる。
【００２１】
請求項４の発明は、請求項１に記載の情報カードにおいて、画像表示手段が、非接触式ＩＣカードの平面部に感熱材料を塗布して感熱プリンタで任意の画像を形成可能に構成されていることを特徴とする。
【００２２】
上述のように構成することにより、請求項１に記載の情報カードにおける作用及び効果に加えて、このように構成した非接触式ＩＣカードは、一般に利用されている感熱材料と同様に扱って、感熱プリンタで任意の画像を容易に形成可能となる。
【００２３】
請求項５の発明は、請求項１に記載の情報カードにおいて、画像表示手段が、非接触式ＩＣカードの平面部にサーモオートクローム方式の感受層を設けてサーモオートクローム方式のプリンタで任意の画像を形成可能に構成されていることを特徴とする。
【００２４】
上述のように構成することにより、請求項１に記載の情報カードにおける作用及び効果に加えて、このように構成した非接触式ＩＣカードは、一般に利用されているサーモオートクローム方式の感受層を設けた用紙と同様に扱って、サーモオートクローム方式のプリンタで任意の画像を容易に形成可能となる。
【００２５】
請求項６の発明は、請求項１に記載の情報カードにおいて、画像表示手段が、非接触式ＩＣカードの平面部にインクジェットプリント用の表皮を設けてインクジェットプリンタにより任意の画像を形成できるように構成されていることを特徴とする。
【００２６】
上述のように構成することにより、請求項１に記載の情報カードにおける作用及び効果に加えて、このように構成した非接触式ＩＣカードは、一般に利用されているインクジェットプリント用の表皮を設けた用紙と同様に扱って、インクジェットプリンタで任意の画像を容易に形成可能となる。
【００２７】
本発明の請求項７に記載の音声再生処理を行う情報カードの利用システムの装置は、作成した固有の画像がシート状平面部に現され、かつ作成した固有の画像に対応する音声情報が書き込まれた非接触式ＩＣカードが検知エリア内に入ると、非接触式ＩＣカードに記憶されている音声情報を非接触状態で読み出してスピーカから出力する機能を有する携帯電話器として構成されたことを特徴とする。
【００２８】
上述のように構成することにより、使用者は、鑑賞の対象となる一枚の非接触式ＩＣカードを選び出して、この画像が形成された非接触式ＩＣカードを、普通に写真をみるように手にとって、音声再生用の装置としての携帯電話器における所定の読み取り範囲内（検知エリア内）へ非接触式ＩＣカードをかざすように接近させる。すると、音声再生用の装置を兼ねる携帯電話器から非接触式ＩＣカードに記録されている音声が聞こえてくる。よって、使用者は、非接触式ＩＣカードを利用して普通に写真をみるように手にとって画像を鑑賞しながら、非接触式ＩＣカードに記憶されている音声を同時に聞くことができ、使用者の視覚と聴覚とを同時に働かせてより充実した鑑賞を可能とする。また、非接触式ＩＣカードは、非接触式で音声情報を出力させることができるので、音声再生用の装置を兼ねる携帯電話器における所定の読み取り範囲内（検知エリア内）へ非接触式ＩＣカードを接近させるだけの容易な動作で音声の再生をできるから、音声情報を聞くための操作を容易にできる。また、携帯電話器に新たに音声データ読み取る機能を付加し、携帯電話器における本来の機能用の音声データ処理部、音声再生部及びスピーカ等を兼用するようにした場合には、その構成を簡素化し廉価な製品を提供可能とできる。さらに、携帯電話器に音声再生用の装置の機能を持たせた場合には、専用の音声再生装置を持ち歩かなくても携帯電話器を携行していれば、いつでも非接触式ＩＣカードから音声情報を聞けるので便利である。
【００２９】
本発明の請求項８に記載の音声再生処理を行う情報カードの利用システムの装置は、作成した固有の画像がシート状平面部に現され、かつ作成した固有の画像に対応する音声情報が書き込まれた非接触式ＩＣカードが検知エリア内に入ると、非接触式ＩＣカードに記憶されている音声情報を非接触状態で読み出してスピーカから出力する機能を有するカメラ装置として構成されたことを特徴とする。
【００３０】
上述のように構成することにより、使用者は、鑑賞の対象となる一枚の非接触式ＩＣカードを選び出して、この画像が形成された非接触式ＩＣカードを、普通に写真をみるように手にとって、音声再生用の装置としてのカメラ装置における所定の読み取り範囲内（検知エリア内）へ非接触式ＩＣカードをかざすように接近させる。すると、音声再生用の装置を兼ねるカメラ装置から非接触式ＩＣカードに記録されている音声が聞こえてくる。よって、使用者は、非接触式ＩＣカードを利用して普通に写真をみるように手にとって画像を鑑賞しながら、非接触式ＩＣカードに記憶されている音声を同時に聞くことができ、使用者の視覚と聴覚とを同時に働かせてより充実した鑑賞を可能とする。また、非接触式ＩＣカードは、非接触式で音声情報を出力させることができるので、音声再生用の装置を兼ねるカメラ装置における所定の読み取り範囲内（検知エリア内）へ非接触式ＩＣカードを接近させるだけの容易な動作で音声の再生をできるから、音声情報を聞くための操作を容易にできる。さらに、音声再生用の装置を兼ねるカメラ装置を携行していれば、いつでも非接触式ＩＣカードから音声情報を聞けるので便利である。
【００３１】
【発明の実施の形態】
本発明の情報カードとその利用システムの装置に係る実施の形態について、図面を参照しながら説明する。本実施の形態に係わる、情報カードを用いて画像と音声とを同時に利用するシステムを構成するための、音声の記録機能を備えたカメラ装置は、音声情報と画像情報とを同時に取り扱えるようにするため、図１に示すように構成する。
【００３２】
この図１に示すカメラ装置１０は、いわゆるデジタルカメラとして構成する。このカメラ装置１０は、図示しない光学ユニットにおけるオートフォーカス機構のレンズ駆動モータでズームレンズ１２を移動制御し、レンズ１２の光軸後方に配設されたＣＣＤ（Ｃｈａｒｇｅ　Ｃｏｕｐｌｅｄ　Ｄｅｖｉｃｅ）ユニット（撮像素子ユニット）１４上に被写体像を結像させるように構成する。このＣＣＤユニット１４は、被写体像の画像信号を画像信号処理部１６へ送信する。
【００３３】
この画像信号処理部１６は、カメラ装置１０全体の動作を司る図示しないＣＰＵ（中央演算処理装置）により動作制御されるもので、使用者がシャッタを切ったときにＣＣＤユニット１４から入力されたアナログ画像信号をデジタル画像データに変換するアナログ／デジタル変換機能（Ａ／Ｄコンバータ）と、所定容量のラインバッファを内蔵すると共に生成したデジタル画像データに対して所定のデジタル信号処理を施し、さらに必要に応じて所定の圧縮形式でデジタル画像データに対して圧縮処理を施すと共に、圧縮処理されたデジタル画像データに対して伸張処理を施す圧縮・伸張機能とを有する。
【００３４】
例えば、この画像信号処理部１６では、ＣＣＤユニット１４から出力された被写体像を示すＲ（赤）、Ｇ（緑）、Ｂ（青）の信号を、順次Ａ／Ｄコンバータに入力して、各々１２ビットのＲ、Ｇ、Ｂ信号（以下、「デジタル画像データ」という。）に変換する。このように生成されたデジタル画像データは、ＣＰＵによって、光源種に応じたデジタルゲインをかけることでホワイトバランス調整を行なうと共に、ガンマ処理及びシャープネス処理を行なって８ビットのデジタル画像データに生成し、更にＹＣ信号処理を施して輝度信号Ｙとクロマ信号Ｃｒ、Ｃｂ（以下、「ＹＣ信号」という。）を生成し、このＹＣ信号を、所定の圧縮形式（本実施の形態では、静止画像のデジタル画像データを圧縮する圧縮形式として、ＪＰＥＧ（Ｊｏｉｎｔ　Ｐｈｏｔｏｇｒａｐｈｉｃ　Ｅｘｐｅｒｔｓ　Ｇｒｏｕｐ）形式を適用する）で圧縮した後に音声及び画像情報出力部２０へ送信する。
【００３５】
このカメラ装置１０は、音声情報を記録するため、カメラ装置１０本体にマイクロホン１８を配置し、使用者がシャッタを切った前後の所定時間中に、マイクロホン１８で生成したアナログ音声信号を音声信号処理部２２へ送信する。この音声信号処理部２２では、必要に応じて、入力されたアナログ音声信号をデジタル音声データ（音声情報）に変換し、所定の圧縮形式（例えば、いわゆるＭＰ３形式）で圧縮した後に、この音声データを音声及び画像情報出力部２０へ送信する。
【００３６】
音声及び画像情報出力部２０では、ある時に一度シャッタを切った際における静止画像のデジタル画像データと音声データ（音声情報）とを一対一に対応させるよう関連付けて、記録媒体（記録メディア）に書き込む動作を実行可能に構成する。すなわち、カメラ装置１０が有するシャッタを切った際に関わるデジタル画像データのファイルと音声データとを関連付けて記憶する、いわゆるボイスメモ機能を利用して、静止画像のデジタル画像データと音声データとを関連付けて、記録媒体（記録メディア）に書き込む動作を実行可能に構成する。
【００３７】
この音声及び画像情報出力部２０は、例えば、スマート・メディア、ＩＣカード（ＩＣメモリ）、ＣＤ−Ｒ、ＣＤ−ＲＷ等の可搬型の記録メディア２４を装着可能に構成し、この記録メディア２４に各静止画像のデジタル画像データとこれに対応する各音声データとをそれぞれ関連付けて順次記録する。
【００３８】
なお、音声及び画像情報出力部２０で、各静止画像のデジタル画像データとこれに対応する各音声データとをそれぞれ関連付けて順次記録した記録メディア２４は、別途図示しないパーソナルコンピュータ等で各静止画像のデジタル画像データとこれに対応する各音声データとを修正し若しくは書き換え又は新たに書き加える加工をしても良い。
【００３９】
このようにして各静止画像のデジタル画像データとこれに対応する各音声データとがそれぞれ関連付けて順次記録された記録メディア（ＩＣメモリ）２４は、カメラ装置１０から取り出されて、図２に示す、情報カードを用いて画像と音声とを同時に利用するシステムを構成するための画像形成装置２６にセットされ、非接触式の情報カード３０に音声情報と画像情報とを書き込むのに利用される。
【００４０】
この非接触式の情報カード３０は、薄肉平板状に形成し、その一部に、電磁誘導コイル３１付きのＩＣモジュール３２を埋設して形成する。
【００４１】
この電磁誘導コイル３１付きのＩＣモジュール３２は、送受信及び信号の入出力といった外部とのデータ通信をするための制御を実行するＣＰＵ（中央演算処理装置）と、音声情報記録手段として利用可能なＥＥＰＲＯＭ又はＲＡＭ等の書き換え可能な記憶素子とを有する。
【００４２】
さらに、この電磁誘導コイル３１付きのＩＣモジュール３２は、ＣＰＵ等が動作する上で必要な電力を電磁誘導コイル３１で、無線により外部から得ると共に、記憶素子に音声情報を記録し、又は予め記録された音声情報を電磁誘導コイル３１で、無線により外部へ出力するための機能を有する。
【００４３】
これと共に、非接触式の情報カード３０は、作成した固有の画像を現すための画像表示手段として、その平面部に画像を形成可能に構成した画像形成面部３０Ａを設ける。この画像形成面部３０Ａは、画像形成面部３０Ａの平面部に、サーマル記録手段（温度の高低又は熱量の大小を画像形成手段とするもの）により任意の画像を形成可能となるように、例えば感熱材料を塗布して構成する。
【００４４】
または、画像表示手段としての画像形成面部３０Ａは、画像形成面部３０Ａの平面部に、任意の画像を形成するためのＴＡ感受層を塗布して構成しても良い。
【００４５】
さらに、画像表示手段としての画像形成面部３０Ａは、画像形成面部３０Ａの平面部に、インクジェット記録手段によって任意の画像を形成できるよう、インクジェットプリント用の表皮（例えば白色顔料をコートして構成したコート層）を設けても良い。
【００４６】
なお、画像表示手段としての画像形成面部３０Ａは、画像形成面部３０Ａの平面部に電子写真記録手段（電子写真プロセス例えば、カールソン法）で画像を形成し、若しくはいわゆるデジタルペーパ（リライタブル記録、ペーパライクディスプレイの機能を有するもので、例えば液晶方式、電気泳動方式、粉体移動方式、ツイストボール方式等がある。）又は画像形成面部３０Ａの平面部に感光層を形成して露光後現像処理して写真プリントを形成する手段等の、画像形成面部３０Ａの平面部に任意の画像を形成するための種々の構成を採り得る。
【００４７】
図２に示すように、情報カードを用いて画像と音声とを同時に利用するシステムを構成するための画像形成装置２６は、その音声及び画像情報入力処理部２８に記録メディア（ＩＣメモリ）２４を着脱可能にセットし、記録メディア２４に記録された各静止画像のデジタル画像データとこれに対応する各音声データ（音声情報）とをそれぞれ読み出すように構成する。
【００４８】
なお図示しないが、カメラ装置１０の接続端子から画像形成装置２６の接続端子へとケーブルで直接接続し、各静止画像のデジタル画像データとこれに対応する各音声データとをそれぞれ関連付けた状態で、音声及び画像情報入力処理部２８へ直接送信するように構成しても良い。
【００４９】
この図２に示す画像形成装置２６では、音声及び画像情報入力処理部２８で読み出した静止画像のデジタル画像データを画像情報処理部３４へ送信する。
【００５０】
また、画像形成装置２６では、例えば、使用者が別途パーソナルコンピュータ（パソコン）で作成した静止画像（インターネットからダウンロードした動画像を利用して作成した静止画像又は種々の画像をもとに作成した合成静止画像等）を取り入れるようにしても良い。
【００５１】
さらに、使用者が自ら書いた絵やイラスト等をスキャナで読み取って作成した静止画像のデジタル画像データを、音声及び画像情報入力処理部２８から取り入れるようにしても良い。
【００５２】
また、この場合に使用者は、カメラ装置１０以外で作成した各静止画像の画像データに対応する各音声データ（音声情報）を、例えばマイクロホンを利用してパーソナルコンピュータに取り込み音声ファイルを作成する。そして、パーソナルコンピュータで作成された音声ファイルの音声データ（音声情報）は、画像形成装置２６の音声及び画像情報入力処理部２８から取り入れられ、利用される。
【００５３】
画像形成装置２６の画像情報処理部３４では、送信されて来た静止画像のデジタル画像データに対して、必要に応じて所要のデジタル信号処理を施し、さらに圧縮処理されたデジタル画像データに対して伸張処理を施して画像形成部３６へ送信する。
【００５４】
この画像形成部３６では、送信されて来た静止画像のデジタル画像データに基づいて非接触式の情報カード３０の画像形成面部３０Ａ上に画像を現す処理を実行する。
【００５５】
このため、画像形成部３６は、非接触式の情報カード３０の記録手段に対応して構成するもので、例えば画像形成面部３０Ａがサーマル記録手段に対応する構成である場合には、画像形成部３６をサーマルプリンタ等で構成する。
【００５６】
また、画像形成面部３０Ａが、ＴＡ（サーモオートクローム方式）感受層を塗布して構成したものである場合は、画像形成部３６を、画像形成面部３０Ａにサーマルヘッドによって感熱し画像を形成した後に紫外線を照射して定着させるＴＡ方式プリンタで構成する。なお、このＴＡ方式の画像形成手段は、光定着形直接感熱記録方式による画像形成手段である。このＴＡ（サーモオートクローム方式）感受層は、イエロー（Ｙ）、マゼンダ（Ｍ）、シアン（Ｃ）の３原色に発色する熱発色層を積層して設け、これらの熱発色層に含まれるマイクロカプセルに発色素材を内包させて構成する。このマイクロカプセルには、それ自体に濃度階調を持たせてある。そして、イエロー（Ｙ）、マゼンダ（Ｍ）、シアン（Ｃ）の３原色に発色する熱発色層を積層したものを、サーマルヘッドによって感熱し画像を形成した後に紫外線を照射して定着させ写真プリントのような画像を形成するものである。
【００５７】
非接触式の情報カード３０の画像形成面部３０Ａがインクジェットプリント用の表皮を設けて構成されている場合には、インクジェットプリンタ等のインクジェット記録手段で構成する。
【００５８】
さらに、画像形成面部３０Ａが電子写真記録手段で画像を形成するように構成されている場合には、画像形成部３６を電子写真プロセス例えばカールソン法で画像を形成する装置として構成する。
【００５９】
また、非接触式の情報カード３０が、いわゆるデジタルペーパで構成されている場合には、画像形成部３６をデジタルペーパに画像情報を供給する装置として構成する。
【００６０】
これと共に、非接触式の情報カード３０における画像形成面部３０Ａの平面に感光層が形成されている場合には、この感光層に対して露光後現像処理を施して写真プリントを形成する露光現像装置として構成する。
【００６１】
この図２に示す画像形成装置２６では、音声及び画像情報入力処理部２８で読み出した各音声データを音声情報処理部３８へ送信する。この音声情報処理部３８では、送信されて来た音声データに対して、必要に応じて所要のデジタル信号処理を施し、さらに圧縮処理された音声データに対して伸張処理を施して音声データ書き込み装置４０（ライタ）へ送信する。
【００６２】
音声データ書き込み装置４０では、送信されて来た音声データに基づいて非接触式の情報カード３０のＩＣモジュール３２に音声データを書き込む処理を実行する。
【００６３】
このため音声データ書き込み装置４０は、電磁誘導によってＩＣモジュール３２の電源回路に電源を供給する手段と、ＩＣモジュール３２のＣＰＵ等をコントロールするための制御信号をＩＣモジュール３２との間で送受信する手段と、ＩＣモジュール３２の音声情報記録手段として利用される書き換え可能な記憶素子に記憶させる音声データをＩＣモジュール３２へ送信する手段とを設ける。
【００６４】
そして、音声データ書き込み装置４０は、電源を供給する手段を作動させて、電磁誘導コイル３１を利用して電磁誘導によりＩＣモジュール３２の電源回路に電源を供給しながら、ＩＣモジュール３２のＣＰＵとの間で制御のための信号を送受信して、ＩＣモジュール３２のＣＰＵを動作させ、ＩＣモジュール３２に所要の音声データを記憶させる動作を実行する。
【００６５】
また、この情報カードとその利用システムでは、画像形成装置２６の音声情報処理部３８で、音声データを、音声合成チップを利用して合成音声を出力させるための音声用コードに変換し、音声情報の情報量を少なくする手段を利用しても良い。
【００６６】
この場合には、図６に示すように画像形成装置２６を構成する。すなわち、この画像形成装置２６では、その音声及び画像情報入力処理部２８に記録メディア（ＩＣメモリ）２４をセットし、記録メディア２４に記録された各静止画像のデジタル画像データとこれに対応する各音声データ（音声情報）とをそれぞれ読み出す。
【００６７】
次に、この図６に示す画像形成装置２６では、音声及び画像情報入力処理部２８で読み出した各音声データを音声情報処理部３８へ送信する。この音声情報処理部３８では、送信されて来た音声データに対して、必要に応じて所要のデジタル信号処理を施し、さらに圧縮処理された音声データに対して伸張処理を施して音声識別部３９へ送信する。
【００６８】
この音声識別部３９では、音声データを分析し、例えば、単音節認識手段又は単語認識手段による音声認識をして音声コード変換部４１へ送信する。この音声コード変換部４１では、音声認識された言葉（単音節又は単語）を対応する音声コードに変換すると共に、音声コード変換部４１に設けたライタの機能によって変換した音声コードを非接触式の情報カード３０のＩＣモジュール３２に書き込む処理を実行する。
【００６９】
このように音声情報をコード化して利用する場合には、ＩＣモジュール３２が記憶することになる情報量を少なくできるので、実用的な非接触式の情報カード３０を構成できる。
【００７０】
なお、音声情報のコード化処理は、前述したカメラ装置１０の音声信号処理部２２で行うように構成しても良い。
【００７１】
また、この図６に示す画像形成装置２６では、前述した図２に示す画像形成装置２６と同様にして、静止画像のデジタル画像データに基づいて非接触式の情報カード３０の画像形成面部３０Ａ上に画像を現す処理を実行する。
【００７２】
なお、図６に示す画像形成装置２６における以上説明した以外の構成、作用、及び効果は前述した図２に示す画像形成装置２６と同様であるので、その説明を省略する。
【００７３】
このようにして画像形成装置２６により、画像形成面部３０Ａに画像が現され、かつＩＣモジュール３２に音声情報が格納された非接触式の情報カード３０は、画像形成装置２６から取り出されて、使用者の利用に供される。
【００７４】
この非接触式の情報カード３０は、画像を鑑賞することに利用可能である。さらに、使用者が非接触式の情報カード３０の画像を鑑賞すると同時に音声情報を聞き取る場合には、情報カードを用いて画像と音声とを同時に利用するシステムを構成するための、非接触式の情報カード３０から音声情報を読み取って音声を出力する装置である音声再生装置４２を使用する。
【００７５】
この音声再生装置４２は、その装置本体の上部所定部所に、音声データ読み取り装置４４を配置する。この音声データ読み取り装置４４は、非接触式の情報カード３０のＩＣモジュール３２から音声データを読み取る処理を実行する。
【００７６】
このため音声データ読み取り装置４４は、電磁誘導によってＩＣモジュール３２の電源回路に電源を供給する手段と、ＩＣモジュール３２のＣＰＵをコントロールするための制御信号をＩＣモジュール３２との間で送受信する手段と、ＩＣモジュール３２に記録されている音声データを受信する手段とを設ける。
【００７７】
そして、音声データ読み取り装置４４は、非接触式の情報カード３０が所定の通信範囲内（検知エリア内）に接近すると、電源を供給する手段を作動させて電磁誘導によりＩＣモジュール３２の電源回路に電源を供給しながら、ＩＣモジュール３２のＣＰＵとの間で制御のための信号を送受信してＩＣモジュール３２のＣＰＵを動作させ、ＩＣモジュール３２に記憶されている音声データを読み取って受信する動作を実行する。
【００７８】
音声データ読み取り装置４４は、ＩＣモジュール３２から受信した音声データを音声データ処理部４６へ送信する。音声データ処理部４６では、必要に応じて、受信した音声データが所定の圧縮形式で圧縮処理されている場合には、音声データに対して伸張処理を施し、デジタル音声データをアナログ音声信号に変換した後に、この音声信号を音声再生部４８へ送信する。
【００７９】
この音声再生部４８は、受信した音声信号を増幅してスピーカ５０へ出力し、スピーカ５０を駆動して非接触式の情報カード３０のＩＣモジュール３２に記録されていた音声を出力させる。
【００８０】
次に、ＩＣモジュール３２に音声情報としての音声コードが格納された非接触式の情報カード３０を利用可能な音声再生装置４２について図７により説明する。
【００８１】
この音声再生装置４２は、その装置本体の上部所定部所に、音声コード読み取り部４５を配置する。この音声コード読み取り部４５は、非接触式の情報カード３０のＩＣモジュール３２から音声コードを読み取る処理を実行可能に構成する。
【００８２】
音声コード読み取り部４５は、ＩＣモジュール３２から受信した音声コードを音声合成処理部４７へ送信する。音声合成処理部４７では、例えば、録音編集方式、素片編集方式、分析合成方式又は規則合成方式等の手段を用いて、受信した音声コードに対応する合成音の音声信号を作成した後に、この合成音の音声信号を音声再生部４８へ送信する。
【００８３】
この音声再生部４８は、受信した合成音の音声信号を増幅してスピーカ５０へ出力し、スピーカ５０を駆動して非接触式の情報カード３０のＩＣモジュール３２に記録されていた音声を出力させる。
【００８４】
なお、図７に示す音声再生装置４２における以上説明した以外の構成、作用、及び効果は前述した図３に示す音声再生装置４２と同様であるので、その説明を省略する。
【００８５】
次に、この情報カードを用いて画像と音声とを同時に利用するシステムにおける音声再生装置４２の使用方法について、図４により説明する。
【００８６】
使用者は、鑑賞の対象となる非接触式の情報カード３０を選び出して、この非接触式の情報カード３０を画像形成面部３０Ａが見えるようにして、すなわち普通に写真をみるように手にとって、音声再生装置４２における音声データ読み取り装置４４（音声コードが記録されている場合は、音声コード読み取り部４５）が配置されている所定の読み取り範囲内（検知エリア内）へ非接触式の情報カード３０をかざすように接近させる。すると、音声再生装置４２から非接触式の情報カード３０のＩＣモジュール３２に記憶されている音声が聞こえてくる。
【００８７】
よって、使用者は、非接触式の情報カード３０を普通に写真をみるように手にとって、その画像形成面部３０Ａにある画像を鑑賞しながら、ＩＣモジュール３２に記憶されている音声を同時に聞くことができ、使用者の視覚と聴覚とを同時に働かせてより充実した感慨にふけることができる。
【００８８】
また、使用者は、例えば非接触式の情報カード３０複数を束にしたものの中から、所望の非接触式の情報カード３０を選んで音声再生装置４２の上にかざすだけの簡単な操作だけで各非接触式の情報カード３０のＩＣモジュール３２から音声の再生を自動的に行えるので、煩わしい操作が不要であり、手軽に非接触式の情報カード３０を扱って、新鮮な驚きを味わうことができる。
【００８９】
また、音声再生装置４２は、それ自体で独立した装置として構成する他に、例えば図５に示すように携帯電話器５２に装備させるよう構成することもできる。
【００９０】
この携帯電話器５２に音声再生装置４２の機能を持たせる場合には、図示しないが携帯電話器５２に新たに音声データ読み取り装置４４（音声コードが記録されている場合は、音声コード読み取り部４５と音声合成処理部４７）を装着し、携帯電話器５２における本来の機能用の音声データ処理部４６（必要に応じて利用する）、音声再生部４８及びスピーカ５０を兼用して、構成を簡素化し廉価な製品を提供可能とすることができる。
【００９１】
また、携帯電話器５２に音声再生装置４２の機能を持たせた場合には、音声再生装置４２を持ち歩かなくても携帯電話器５２を携行していれば、いつでも非接触式の情報カード３０から音声情報を聞けるので便利である。
【００９２】
さらに、音声再生装置４２は、図示しないが、例えばカメラ装置に装備させるよう構成することもできる。
【００９３】
このカメラ装置に音声再生装置４２の機能を持たせる場合には、音声再生装置４２を持ち歩かなくてもカメラ装置を携行していれば、いつでも非接触式の情報カード３０から音声情報を聞けるので便利である。
【００９４】
【発明の効果】
本発明の情報カードは、第１に、作成した固有の画像を、非接触式ＩＣカードのシート状平面部に現す画像表示手段と、固有の画像に対応する音声情報を、非接触式ＩＣカードに書き込み及び非接触式で読み取り可能に構成した音声情報記録手段とを設けて構成する。
【００９５】
これにより一枚の非接触式ＩＣカードに、作成した固有の画像と、固有の画像に対応する音声情報とを一まとめにして保存できるので、画像情報と対をなす音声情報との組みを、多数組み管理するのを容易にできる。さらに、使用者は、作成した固有の画像と固有の画像に対応する音声情報とを、一度に鑑賞可能とする。また、非接触式ＩＣカードは、非接触式で音声情報を出力させることができるので、非接触式ＩＣカードを音声再生装置に通したり、ペン状の読み取り装置で音声情報を記録した部分をなぞるといった煩雑な操作が不要であるからその取り扱いを容易にできるという効果がある。
【００９６】
第２に、本発明の画像形成処理を行う情報カードの利用システムの装置は、音声及び画像情報入力処理部から入力された画像情報に基づいて、非接触式ＩＣカードのシート状平面部に画像を形成する画像形成部と、音声及び画像情報入力処理部から入力された画像情報に基づいて、非接触式ＩＣカードの音声情報記録手段に音声情報を書き込む音声データ書き込み装置とを設けて構成する。
【００９７】
これにより、一枚の非接触式ＩＣカードのシート状平面部には作成した固有の画像を画像形成部によって形成すると共に、非接触式ＩＣカードの音声情報記録手段には音声データ書き込み装置によって固有の画像に対応する音声情報を書き込むことができる。よって一枚の非接触式ＩＣカードに、画像情報と対をなす音声情報との組みを一まとめにして記録する作業を一度に行えるので作業効率を向上できるという効果がある。
【００９８】
第３に、本発明の音声再生処理を行う情報カードの利用システムの装置は、作成した固有の画像がシート状平面部に現され、かつ作成した固有の画像に対応する音声情報が書き込まれた非接触式ＩＣカードが検知エリア内に入ると、非接触式ＩＣカードに記憶されている音声情報を非接触状態で読み出してスピーカから出力するよう構成する。
【００９９】
これにより、使用者は、鑑賞の対象となる一枚の非接触式ＩＣカードを選び出して、この画像が形成された非接触式ＩＣカードを、普通に写真をみるように手にとって、音声再生用の装置における所定の読み取り範囲内（検知エリア内）へ非接触式ＩＣカードをかざすように接近させる。すると、音声再生用の装置から非接触式ＩＣカードに記憶されている音声が聞こえてくる。よって、使用者は、非接触式ＩＣカードを利用して普通に写真をみるように手にとって画像を鑑賞しながら、非接触式ＩＣカードに記憶されている音声を同時に聞くことができ、使用者の視覚と聴覚とを同時に働かせてより充実した鑑賞を可能とする。また、非接触式ＩＣカードは、非接触式で音声情報を出力させることができるので、音声再生用の装置における所定の読み取り範囲内（検知エリア内）へ非接触式ＩＣカードを接近させるだけの容易な動作で音声の再生をできるから、音声情報を聞くための操作を容易にできるという効果がある。
【０１００】
第４に、作成した固有の画像を非接触式ＩＣカードのシート状平面部に現す画像表示手段は、非接触式ＩＣカードの平面部に感熱材料を塗布して感熱プリンタで任意の画像を形成可能に構成する。
【０１０１】
このように構成した非接触式ＩＣカードは、一般に利用されている感熱材料と同様に扱って、感熱プリンタで任意の画像を容易に形成可能となるという効果がある。
【０１０２】
第５に、作成した固有の画像を非接触式ＩＣカードのシート状平面部に現す画像表示手段は、非接触式ＩＣカードの平面部にサーモオートクローム方式の感受層を設けてサーモオートクローム方式のプリンタで任意の画像を形成可能に構成する。
【０１０３】
このように構成した非接触式ＩＣカードは、一般に利用されているサーモオートクローム方式の感受層を設けた用紙と同様に扱って、サーモオートクローム方式のプリンタで任意の画像を容易に形成可能となるという効果がある。
【０１０４】
第６に、作成した固有の画像を非接触式ＩＣカードのシート状平面部に現す画像表示手段は、非接触式ＩＣカードの平面部にインクジェットプリント用の表皮を設けてインクジェットプリンタにより任意の画像を形成できるように構成する。
【０１０５】
このように構成した非接触式ＩＣカードは、一般に利用されているインクジェットプリント用の表皮を設けた用紙と同様に扱って、インクジェットプリンタで任意の画像を容易に形成可能となるという効果がある。
【０１０６】
第７に、本発明の音声再生処理を行う情報カードの利用システムの装置は、作成した固有の画像がシート状平面部に現され、かつ作成した固有の画像に対応する音声情報が書き込まれた非接触式ＩＣカードが検知エリア内に入ると、非接触式ＩＣカードに記憶されている音声情報を非接触状態で読み出してスピーカから出力する機能を有する携帯電話器として構成する。
【０１０７】
これにより、使用者は、鑑賞の対象となる一枚の非接触式ＩＣカードを選び出して、この画像が形成された非接触式ＩＣカードを、普通に写真をみるように手にとって、音声再生用の装置としての携帯電話器における所定の読み取り範囲内（検知エリア内）へ非接触式ＩＣカードをかざすように接近させる。すると、音声再生用の装置を兼ねる携帯電話器から非接触式ＩＣカードに記録されている音声が聞こえてくる。よって、使用者は、非接触式ＩＣカードを利用して普通に写真をみるように手にとって画像を鑑賞しながら、非接触式ＩＣカードに記憶されている音声を同時に聞くことができ、使用者の視覚と聴覚とを同時に働かせてより充実した鑑賞を可能とする。また、非接触式ＩＣカードは、非接触式で音声情報を出力させることができるので、音声再生用の装置を兼ねる携帯電話器における所定の読み取り範囲内（検知エリア内）へ非接触式ＩＣカードを接近させるだけの容易な動作で音声の再生をできるから、音声情報を聞くための操作を容易にできるという効果がある。また、携帯電話器に新たに音声データ読み取る機能を付加し、携帯電話器における本来の機能用の音声データ処理部、音声再生部及びスピーカ等を兼用するようにした場合には、その構成を簡素化し廉価な製品を提供可能とできる。さらに、携帯電話器に音声再生用の装置の機能を持たせた場合には、専用の音声再生装置を持ち歩かなくても携帯電話器を携行していれば、いつでも非接触式ＩＣカードから音声情報を聞けるので便利であるという効果がある。
【０１０８】
第８に、本発明の音声再生処理を行う情報カードの利用システムの装置は、作成した固有の画像がシート状平面部に現され、かつ作成した固有の画像に対応する音声情報が書き込まれた非接触式ＩＣカードが検知エリア内に入ると、非接触式ＩＣカードに記憶されている音声情報を非接触状態で読み出してスピーカから出力する機能を有するカメラ装置として構成する。
【０１０９】
これにより、使用者は、鑑賞の対象となる一枚の非接触式ＩＣカードを選び出して、この画像が形成された非接触式ＩＣカードを、普通に写真をみるように手にとって、音声再生用の装置としてのカメラ装置における所定の読み取り範囲内（検知エリア内）へ非接触式ＩＣカードをかざすように接近させる。すると、音声再生用の装置を兼ねるカメラ装置から非接触式ＩＣカードに記録されている音声が聞こえてくる。よって、使用者は、非接触式ＩＣカードを利用して普通に写真をみるように手にとって画像を鑑賞しながら、非接触式ＩＣカードに記憶されている音声を同時に聞くことができ、使用者の視覚と聴覚とを同時に働かせてより充実した鑑賞を可能とするという効果がある。また、非接触式ＩＣカードは、非接触式で音声情報を出力させることができるので、音声再生用の装置を兼ねるカメラ装置における所定の読み取り範囲内（検知エリア内）へ非接触式ＩＣカードを接近させるだけの容易な動作で音声の再生をできるから、音声情報を聞くための操作を容易にできる。さらに、音声再生用の装置を兼ねるカメラ装置を携行していれば、いつでも非接触式ＩＣカードから音声情報を聞けるので便利であるという効果がある。
【図面の簡単な説明】
【図１】本発明の情報カードとその利用システムの装置に関する実施の形態に係るカメラ装置部分を示す概略構成図である。
【図２】本発明の情報カードとその利用システムの装置に関する実施の形態に係る画像形成装置部分を示す概略構成図である。
【図３】本発明の情報カードとその利用システムの装置に関する実施の形態に係る音声再生装置を示す概略構成図である。
【図４】本発明の情報カードとその利用システムの装置に関する実施の形態に係る音声再生装置を利用して非接触式の情報カードの画像情報と音声情報とを同時に鑑賞する状態を示す概略斜視図である。
【図５】本発明の情報カードとその利用システムの装置に関する実施の形態に係る音声再生装置の構成を具備する携帯電話器を利用して非接触式の情報カードの画像情報と音声情報とを同時に鑑賞する状態を示す概略斜視図である。
【図６】本発明の情報カードとその利用システムの装置に関する実施の形態に係る、音声コードを利用する画像形成装置部分を示す概略構成図である。
【図７】本発明の情報カードとその利用システムの装置に関する実施の形態に係る音声コードを利用した非接触式の情報カードに対応する音声再生装置を示す概略構成図である。
【符号の説明】
１０　カメラ装置
１８　マイクロホン
２０　画像情報出力部
２２　音声信号処理部
２４　記録メディア
２６　画像形成装置
２８　画像情報入力処理部
３０　非接触式の情報カード
３０Ａ　　　　画像形成面部
３２　ＩＣモジュール
３８　音声情報処理部
４０　音声データ書き込み装置
４２　音声再生装置
４４　音声データ読み取り装置
４６　音声データ処理部
４８　音声再生部
５０　スピーカ
５２　携帯電話器
【図１】
2004126096.tif 000003
【図２】
2004126096.tif 000004
【図３】
2004126096.tif 000005
【図４】
2004126096.tif 000006
【図５】
2004126096.tif 000007
【図６】
2004126096.tif 000008
【図７】
2004126096.tif 000009